(57)【要約】【課題】操作部５に、ステンレス製の化粧板８を装着することで、システムキッチンに合ったデザイン性が優れ、また、汚れが溜まりにくい食器洗い機を提供する。【解決手段】食器洗い機本体１内に引き出し自在の洗浄槽１０を覆う扉体３の前面に、食器洗い機を操作する操作ボタン４を複数設けた操作部５にステンレス製の化粧板８を設け、化粧板８は、下方をヒンジとしたスリット９で構成する。【選択図】図１
2009178233.tif 000002
【特許請求の範囲】
【請求項１】
前方に開口部を有する食器洗い機本体内に引き出し自在に設けた洗浄槽と、前記開口部に設けられた扉体と、前記扉体の前面に食器洗い機を操作する操作ボタンを複数設けた操作部と、前記操作部を覆う金属製の化粧板とを有し、前記化粧板は、前記操作部の周囲に下方をヒンジとしたスリットを設けた食器洗い機。
【発明の詳細な説明】
【技術分野】
【０００１】
本発明は洗浄ノズルより食器に向けて洗浄水を噴射して食器を洗浄するビルトインタイプの食器洗い機に関するものである。
【背景技術】
【０００２】
従来の食器洗い機では、食器洗い機本体の前面に設けられた扉体の前面に操作部があり、操作部はＰＥＴ製のメンブレンシートで構成されている（例えば、特許文献１参照）。
【０００３】
図５は特許文献１に記載された従来の食器洗い機の操作部を示すものである。図５に示すように、食器洗い機本体の前面に設けられた扉体の前面に操作部１０１があり、操作部１０１は、ＰＥＴ製のメンブレンシート１０２で構成されており、操作部１０１はメンブレンシート１０２の外周を保護するため、一段凹んだ状態でメンブレンシート１０２を貼り付ける必要があった。
【特許文献１】特開平１０−１６２６７９号公報
【発明の開示】
【発明が解決しようとする課題】
【０００４】
しかしながら、このような従来の食器洗い機の構成では、扉体前面に設けた操作部１０１は、ＰＥＴ製のメンブレンシート１０２が貼着された主体板部１０３と、その表面から後方へ延びてスイッチ１０４を操作する部分を有していたので、一段凹んだ状態でメンブレンシート１０２を貼り付ける必要があり、操作部１０１に段差が生じるとともに、メンブレンシート１０２の配色によって、システムキッチンのデザインに制約が生じ、システムキッチンの種類によっては、食器洗い機の左右に配置される引き出しや収納等の扉と合わなくなり、デザインが損なわれるという課題を有していた。
【０００５】
また、操作部１０１の前面に、システムキッチンのデザインに合わせやすい金属製の化粧板を設け、化粧板に穴を空けて、別にボタンを設けた場合、穴とボタンの隙間ができるため、洗浄槽を引き出し、上方の開口部から食器類の出し入れを行う際に、食器洗い機前面に設けられた操作部１０１には汚れが付着し、溜まりやすくなり、清掃性が損なわれるという問題を有していた。
【０００６】
本発明は、上記従来の課題を解決するもので、扉体に設けた操作部に、金属製の化粧板を装着することで、システムキッチンに合ったデザイン性の優れた食器洗い機を提供するとともに、清掃の際に、拭き取りやすく、また、汚れが溜まりにくくすることを目的としている。
【課題を解決するための手段】
【０００７】
前記従来の課題を解決するために、本発明の食器洗い機は、前方に開口部を有する食器洗い機本体内に引き出し自在に設けた洗浄槽と、前記開口部に設けられた扉体と、前記扉体の前面に食器洗い機を操作する操作ボタンを複数設けた操作部と、前記操作部を覆う金属製の化粧板とを有し、前記化粧板は、前記操作部の周囲は下方をヒンジとしたスリットを設けたものである。
【０００８】
これによって、扉体に設けた操作部に、ステンレス等の金属製の化粧板を装着することで、システムキッチンに合ったデザイン性の優れた食器洗い機を提供するとともに、清掃の際に、拭き取りやすく、また、汚れが溜まりにくくすることができる。
【発明の効果】
【０００９】
本発明の食器洗い機は、扉体に設けた操作部に、ステンレス等の金属製の化粧板を装着することで、システムキッチンに合ったデザイン性の優れた食器洗い機を提供するとともに、清掃の際に、拭き取りやすく、また、汚れが溜まりにくくすることができる。
【発明を実施するための最良の形態】
【００１０】
第１の発明は、前方に開口部を有する食器洗い機本体内に引き出し自在に設けた洗浄槽と、前記開口部に設けられた扉体と、前記扉体の前面に食器洗い機を操作する操作ボタンを複数設けた操作部と、前記操作部を覆う金属製の化粧板とを有し、前記化粧板は、前記操作部の周囲は下方をヒンジとしたスリットを設けたことにより、扉体に設けた操作部に、ステンレス等の金属製の化粧板を装着することで、システムキッチンに合ったデザイン性の優れた食器洗い機を提供するとともに、清掃の際に、拭き取りやすく、また、汚れが溜まりにくくすることができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における食器洗い機の縦断面図、図２は同食器洗い機の正面図、図３は同食器洗い機の操作部の断面図、図４は同食器洗い機の操作部の斜視図である。
【００１３】
図１〜４において、システムキッチンに収容された食器洗い機本体１は、前面に開口部２を有し、扉体３によって覆われている。扉体３は、上方前面に複数個の操作ボタン４を有した操作部５を形成した操作パネル６と、下方にシステムキッチンの引き出し収納等の扉と同じ材質・大きさの扉面材７を配設している。操作部５は、洗浄プログラムを選択するなどの運転操作を食器洗い機本体１の前方からできるよう構成している。
【００１４】
操作部５の前面には、操作部５全面を覆うステンレスの化粧板８が固定され、化粧板８は、操作ボタン４周辺を下方がヒンジ部としたスリット９を設けることで前後に可動し、操作ボタン４を操作できるよう構成している。
【００１５】
また、食器洗い機本体１内に設けた洗浄槽１０は、上方に槽開口部１１を設け、食器類１２を収容する食器かご１３を配置している。食器かご１３の下方には洗浄ノズル１４を回転自在に設けており、洗浄槽１０内に溜めた洗浄水をポンプ１５によって循環させ、洗浄ノズル１４より噴射して食器類１２を洗浄する。
【００１６】
洗浄槽１０の両側面には第１のレール１６を固定しており、第１のレール１６は食器洗い機本体１に固定した第２のレール１７に前後方向へ平行移動可能に支持されている。食器類１２の出し入れを行う際には、操作パネル６に設けたハンドル１８をつかみ、洗浄槽１０を前方に引き出し、上方の槽開口部１１より食器類１２の収容をする。次に操作パネル６により洗浄プログラムを選択し、洗浄槽１０を食器洗い機本体１に戻し運転を開始する。
【００１７】
次に、上記構成における食器洗い機の動作、作用について説明する。操作パネル６に設けたハンドル１８をつかみ、洗浄槽１０を引き出して、槽開口部１１より食器類１２をセットし、再び、洗浄槽１０を食器洗い機本体１内に収容する。食器洗い機本体１に収容した状態で、ステンレス製の化粧板８は、収容されるシステムキッチンにも多く使用されているため、デザインが損なわれることはない。
【００１８】
また、洗浄槽１０を引き出した状態で、汚れの付着した食器類１２を収容する際に、操作部５上面に滴下させるなどで汚した場合、操作部５を清掃する際に、操作部５はステンレス製の化粧板８で覆われているため、清掃性がよく、また、操作ボタン４の前面には化粧板８にスリット９が設けられただけの形状であるため、余分な凹凸がなく、拭き掃除を容易に行うことができる。
【００１９】
また、化粧板８に設けたスリット９は、下方をヒンジとしているため、食器類１２から滴下する汚れが溜まり易い下方の隙間をなくすことができる。また、スリット９に汚れが入り込んだ場合でも、下方をヒンジとしており上方をスリット９としているため、ボタンを押した際に、スリット９内に入り込んだ汚れは目立ち難い。つまり、上記の構成要件とは逆に、上方をヒンジとしており下方にスリットを設けていた場合、ボタンを押した際に、下方のスリット外側の側面に付着した汚れが目だってしまう。
【００２０】
以上記載した本発明による食器洗い機は、ステンレス等の金属製の化粧板を、操作ボタンは下方がヒンジとしたスリットを設けたことで、システムキッチンに合ったデザイン性の優れた食器洗い機を提供するとともに、清掃の際に、拭き取りやすく、また、汚れが溜まりにくい良いものとなっている。
【産業上の利用可能性】
【００２１】
以上のように、本発明にかかる食器洗い機は、前方に開口部を設けた食器洗い機本体内に引き出し自在の洗浄槽を設け、前記洗浄槽前面に前記開口部を覆う扉体と、前記扉体の前面に食器洗い機を操作する操作ボタンを複数設けた操作部と、前記操作部を覆うステンレス等の金属製の化粧板とを設け、前記化粧板は、前記操作部の周囲は、下方をヒンジとしたスリットを設けたことで、システムキッチンに合ったデザイン性の優れた食器洗い機を提供するとともに、清掃の際に、拭き取りやすく、また、汚れが溜まりにくくすることが可能となるので、家庭用の食器洗い機のみならず、業務用の食器洗い機としても有用である。
【図面の簡単な説明】
【００２２】
【図１】本発明の実施の形態１における食器洗い機の縦断面図
【図２】同食器洗い機の正面図
【図３】同食器洗い機の操作部の側断面図
【図４】同食器洗い機の操作部の斜視図
【図５】従来の食器洗い機の操作部の縦断面図
【符号の説明】
【００２３】
１  食器洗い機本体
２  開口部
３  扉体
４  操作ボタン
５  操作部
８  化粧板
９  スリット
１０  洗浄槽
【図１】
2009178233.tif 000003
【図２】
2009178233.tif 000004
【図３】
2009178233.tif 000005
【図４】
2009178233.tif 000006
【図５】
2009178233.tif 000007